(57)【要約】【課題】端子金具を一括ゴム栓に挿通する際の抵抗を低減する。【解決手段】コネクタは、インナハウジング１０（ハウジング）とアウタハウジング３０（リヤホルダ）を仮組み状態に保持する仮係止手段２１と、インナハウジング１０とアウタハウジング３０が正規の組付け状態であるときに、一括ゴム栓４０に対しシール孔４１が拡開変形するのを抑制するように嵌合する筒状収容部１２（変形抑制部）と、インナハウジング１０とアウタハウジング３０が仮組み状態であるときに、一括ゴム栓４０を筒状収容部１２による拡開変形抑制作用から解放する状態に保持する保持手段２３とを備える。【選択図】図３
2013004417.tif 000002
【特許請求の範囲】
【請求項１】
内部に複数のキャビティが形成されたハウジングと、
前記ハウジングの後面と対向するように配置される一括ゴム栓と、
前記一括ゴム栓の後面と対向するように前記ハウジングに組み付けられるリヤホルダと、
前記リヤホルダの挿通孔と前記一括ゴム栓のシール孔とを順に通過して前記キャビティ内に挿入される複数の端子金具と、
前記端子金具の後端部に接続され、前記シール孔の内周に液密状に密着する電線と、
前記ハウジングと前記リヤホルダを正規の組付け状態に保持する本係止手段と、
前記ハウジングと前記リヤホルダを仮組み状態に保持する仮係止手段と、
前記ハウジングと前記リヤホルダが正規の組付け状態であるときに、前記一括ゴム栓に対し前記シール孔が拡開変形するのを抑制するように嵌合する変形抑制部と、
前記ハウジングと前記リヤホルダが仮組み状態であるときに、前記一括ゴム栓を前記変形抑制部による拡開変形抑制作用から解放する状態に保持する保持手段とを備えていることを特徴とするコネクタ。
【請求項２】
前記変形抑制部は、前記ハウジングと前記リヤホルダのうちいずれか一方に設けられ、前記一括ゴム栓の外周に対し押圧力を付与して液密状に密着する形態であり、
前記保持手段は、前記ハウジングと前記リヤホルダが仮組み状態であるときに、前記一括ゴム栓の外周を前記変形抑制部の押圧作用から解放する状態に保持する形態であることを特徴とする請求項１記載のコネクタ。
【請求項３】
前記変形抑制部が、前記ハウジングに一体に形成され、後方へ筒状に突出する形態であることを特徴とする請求項２記載のコネクタ。
【請求項４】
前記保持手段は、
前記リヤホルダの前面から突出して前記一括ゴム栓内に差し込まれる保持突起と、
前記変形抑制部の後端縁に形成されて前記一括ゴム栓に前方から当接する保持面とを備えて構成されていることを特徴とする請求項３記載のコネクタ。
【請求項５】
前記保持面は、前記ハウジングと前記リヤホルダを組み付ける方向に対して傾斜したテーパ状をなしていることを特徴とする請求項４記載のコネクタ。
【発明の詳細な説明】
【技術分野】
【０００１】
本発明は、コネクタに関するものである。
【背景技術】
【０００２】
特許文献１には、内部に複数のキャビティが形成されたハウジングと、ハウジングの後面に対向するように取り付けられた一括ゴム栓と、一括ゴム栓の後面と対向するようにハウジングに取り付けられたリヤホルダと、リヤホルダの挿通孔と一括ゴム栓のシール孔を順に通過してキャビティ内に挿入された複数の端子金具とを備えるコネクタが開示されている。端子金具がキャビティに挿入された状態では、端子金具の後端部に接続した電線に対してシール孔の内周が液密状に密着するとともに、ハウジングの後端部に形成した筒状収容部の内周に対して一括ゴム栓の外周が液密状に密着することにより、防水が図られている。
【先行技術文献】
【特許文献】
【０００３】
【特許文献１】特開２００４−１５８３８０号公報
【発明の概要】
【発明が解決しようとする課題】
【０００４】
上記のコネクタでは、防水性能確保のため、一括ゴム栓の外周が、全周に亘り筒状収容部から押圧力を受けるため、シール孔の内径は電線よりも小径となるように絞られている。ところが、端子金具の外形寸法は電線の外径よりも大きいため、シール孔に端子金具を挿通させるときの抵抗が大きくなる。
本発明は上記のような事情に基づいて完成されたものであって、端子金具を一括ゴム栓に挿通する際の抵抗を低減することを目的とする。
【課題を解決するための手段】
【０００５】
上記の目的を達成するための手段として、請求項１の発明は、内部に複数のキャビティが形成されたハウジングと、前記ハウジングの後面と対向するように配置される一括ゴム栓と、前記一括ゴム栓の後面と対向するように前記ハウジングに組み付けられるリヤホルダと、前記リヤホルダの挿通孔と前記一括ゴム栓のシール孔とを順に通過して前記キャビティ内に挿入される複数の端子金具と、前記端子金具の後端部に接続され、前記シール孔の内周に液密状に密着する電線と、前記ハウジングと前記リヤホルダを正規の組付け状態に保持する本係止手段と、前記ハウジングと前記リヤホルダを仮組み状態に保持する仮係止手段と、前記ハウジングと前記リヤホルダが正規の組付け状態であるときに、前記一括ゴム栓に対し前記シール孔が拡開変形するのを抑制するように嵌合する変形抑制部と、前記ハウジングと前記リヤホルダが仮組み状態であるときに、前記一括ゴム栓を前記変形抑制部による拡開変形抑制作用から解放する状態に保持する保持手段とを備えているところに特徴を有する。
【０００６】
請求項２の発明は、請求項１に記載のものにおいて、前記変形抑制部は、前記ハウジングと前記リヤホルダのうちいずれか一方に設けられ、前記一括ゴム栓の外周に対し押圧力を付与して液密状に密着する形態であり、前記保持手段は、前記ハウジングと前記リヤホルダが仮組み状態であるときに、前記一括ゴム栓の外周を前記変形抑制部の押圧作用から解放する状態に保持する形態であるところに特徴を有する。
【０００７】
請求項３の発明は、請求項２に記載のものにおいて、前記変形抑制部が、前記ハウジングに一体に形成され、後方へ筒状に突出する形態であるところに特徴を有する。
【０００８】
請求項４の発明は、請求項３に記載のものにおいて、前記保持手段は、前記リヤホルダの前面から突出して前記一括ゴム栓内に差し込まれる保持突起と、前記変形抑制部の後端縁に形成されて前記一括ゴム栓に前方から当接する保持面とを備えて構成されているところに特徴を有する。
【０００９】
請求項５の発明は、請求項４に記載のものにおいて、前記保持面は、前記ハウジングと前記リヤホルダを組み付ける方向に対して傾斜したテーパ状をなしているところに特徴を有する。
【発明の効果】
【００１０】
＜請求項１の発明＞
端子金具をキャビティに挿入する際には、予め、仮係止手段によってハウジングとリヤホルダを仮組み状態にしておき、保持手段によって一括ゴム栓を変形抑制部による拡開変形抑制作用から解放しておく。この状態では、シール孔が拡開し易くなっているので、シール孔に端子金具を挿通させるときの抵抗が低減される。端子金具をシール孔に挿通した後は、ハウジングとリヤホルダを正規の組付け状態へ変位させれば、シール孔に対する変形抑制部の拡開変形抑制作用により、電線とシール孔の内周との間が確実にシールされる。
【００１１】
＜請求項２の発明＞
ハウジングとリヤホルダを仮組み状態とし、保持手段によって一括ゴム栓の外周を変形抑制部の拡開変形抑制作用から解放しておく。この状態では、一括ゴム栓の外周に変形抑制部からの押圧力が作用せず、シール孔が拡開し易くなっているので、シール孔に端子金具を挿通させるときの抵抗が低減される。端子金具をシール孔に挿通した後は、ハウジングとリヤホルダを正規の組付け状態へ変位させれば、一括ゴム栓の外周に対する変形抑制部の押圧作用により、変形抑制部と一括ゴム栓の外周との間、及び電線とシール孔の内周との間が確実にシールされる。
【００１２】
＜請求項３の発明＞
変形抑制部をハウジングに一体に形成したので、変形抑制部をハウジング及びリヤホルダとは別体の独立した部品に形成する場合に比べると、部品点数が少ない。
【００１３】
＜請求項４の発明＞
一括ゴム栓は、シール孔に対する端子金具の挿通方向と交差する方向において、保持突起により移動規制されるので、挿通孔とシール孔が対応する状態に保持される。また、端子金具は、シール孔を通過するときに一括ゴム栓を前方へ押圧するのであるが、一括ゴム栓の前方への変位は保持面によって抑制される。
【００１４】
＜請求項５の発明＞
仮組み状態からハウジングとリヤホルダを正規の組付け状態へ変位させるときには、テーパ状の保持面によって、一括ゴム栓の外周が筒状の変形抑制部内に収容される方向へ案内されるので、作業性が良い。
【図面の簡単な説明】
【００１５】
【図１】実施形態１のコネクタの背面図
【図２】インナハウジングとアウタハウジングが仮組みされている状態をあらわす断面図
【図３】インナハウジングとアウタハウジングが仮組みされて端子金具がキャビティに挿入された状態をあらわす断面図
【図４】インナハウジングとアウタハウジングが正規の組付け状態へ変位した状態をあらわす断面図
【図５】図２の部分拡大図
【図６】図４の部分拡大図
【発明を実施するための形態】
【００１６】
＜実施形態１＞
以下、本発明を具体化した実施形態１を図１〜図６を参照して説明する。本実施形態のコネクタは、インナハウジング１０（本発明の構成要件であるハウジング）と、複数の端子金具１４と、アウタハウジング３０（本発明の構成要件であるリヤホルダ）と、一括ゴム栓４０とを組み付けて構成されている。インナハウジング１０とアウタハウジング３０は、図２，３に示す仮組み状態と、図４に示す正規の組付け状態との間で前後方向に相対変位し得るようになっている。
【００１７】
インナハウジング１０は、合成樹脂製であり、正面形状が略方形をなすブロック状のハウジング本体１１と、図２〜４に示すようにハウジング本体１１の後面からその外周縁に沿って後方へ突出する略角筒状の筒状収容部１２（本発明の構成要件である変形抑制部）とを一体に形成して構成されている。筒状収容部１２とインナハウジング１０が一体に形成されているので、筒状収容部をインナハウジングとは別体の独立した部品に形成する場合に比べると、部品点数が少なくて済んでいる。ハウジング本体１１内には、前後方向に貫通する複数のキャビティ１３が形成されている。各キャビティ１３内には、後方から端子金具１４が挿入されている。端子金具１４の後端部には電線１５が固着されている。
【００１８】
筒状収容部１２は、インナハウジング１０とアウタハウジング３０が正規の組付け状態であるときに、一括ゴム栓４０に対しシール孔４１が拡開変形するのを抑制するように嵌合するようになっている。筒状収容部１２の内周面における前端側の領域は、シール面１６となっている。図４，６に示すように、インナハウジング１０とアウタハウジング３０が正規の組付け状態であるときの前後方向におけるシール面１６の形成領域は、ハウジング本体１１の後面から、筒状収容部１２の後端縁（開口縁）より少し前方の位置に亘っている。
【００１９】
図２〜６に示すように、筒状収容部１２を構成する４つの壁部のうち上壁部１７と下壁部１８には、夫々、左右一対の係止部１９が形成されている。各係止部１９は、筒状収容部１２の後端縁よりも後方へ突出しているとともに、筒状収容部１２の外面側へ突出した形態となっている。これらの係止部１９は、インナハウジング１０とアウタハウジング３０を正規の組付け状態に保持するための本係止手段２０を構成するとともに、インナハウジング１０とアウタハウジング３０を仮組み状態に保持するための仮係止手段２１も構成している。
【００２０】
筒状収容部１２の後端部には、その内周縁に沿うように、且つ全周に亘って保持面２２が形成されている。図５，６に示すように、保持面２２は、インナハウジング１０とアウタハウジング３０が正規の組付け状態と仮組み状態との間で相対変位する方向に対して傾斜したテーパ状をなしている。図２，３，５に示すように、この保持面２２は、インナハウジング１０とアウタハウジング３０が仮組み状態であるときに、一括ゴム栓４０を筒状収容部１２による拡開変形抑制作用から解放する状態に保持するための保持手段２３を構成する。
【００２１】
アウタハウジング３０は、合成樹脂製であり、図２〜４に示すように、前方へ開放された略角筒状をなす筒部３１と、筒部３１の後端を覆う形態の後壁部３２とを一体に形成して構成されている。図１に示すように、後壁部３２の後面の形状は略方形である。図２，３に示すように、筒部３１を構成する４つの壁面部のうち上面壁３３と下面壁３４には、夫々、内面側を段差状に凹ませた形態の左右一対の係止凹部３５が形成されている。この係止凹部３５は、インナハウジング１０とアウタハウジング３０を仮組み状態に保持するための仮係止手段２１を構成する。
【００２２】
図２〜４に示すように、後壁部３２には、後壁部３２を前後方向に貫通した形態であって、複数のキャビティ１３と対応するように配置された複数の挿通孔３６が形成されている。図１〜４に示すように、後壁部３２の上端部と下端部には、夫々、内面に段差部を有する左右一対の係止孔３７が形成されている。上端部の係止孔３７は上壁部１７の係止部１９と対応するように配置され、下端部の係止孔３７は下壁部１８の係止部１９と対応するように配置されている。係止孔３７は、インナハウジング１０とアウタハウジング３０を正規の組付け状態に保持するための本係止手段２０を構成する。また、図２〜６に示すように、後壁部３２には、その前面から前方へ突出する複数の保持突起３８が形成されている。この保持突起３８は、インナハウジング１０とアウタハウジング３０が仮組み状態であるときに、一括ゴム栓４０を筒状収容部１２による拡開変形抑制作用から解放する状態に保持するための保持手段２３を構成する。
【００２３】
一括ゴム栓４０の後面の形状は、ハウジング本体１１、筒状収容部１２及び後壁部３２と同じく、略方形をなしている。図２〜４に示すように、一括ゴム栓４０には、複数のキャビティ１３及び複数の挿通孔３６と対応する複数のシール孔４１が、前後方向に貫通して形成されている。各シール孔４１の内周には、周知形態のリップ部が形成されている。また、一括ゴム栓４０の外周にも、周知形態のリップ部４２が形成されている。また、一括ゴム栓４０には、保持突起３８を貫通させるための複数の保持孔４３が形成されている。
【００２４】
次に、本実施形態のコネクタを組み付ける手順を説明する。組付けの際には、まず、アウタハウジング３０と一括ゴム栓４０とを組み付ける。このとき、一括ゴム栓４０を後壁部３２の前面に当接させるとともに、保持突起３８を保持孔４３に嵌合する。すると、保持突起３８の外周面と保持孔４３の内周面との間の摩擦により、アウタハウジング３０と一括ゴム栓４０が仮組みされる。この状態では、挿通孔３６とシール孔４１が対応する。
【００２５】
この後、一括ゴム栓４０を仮組みしたアウタハウジング３０を、インナハウジング１０に対し後方から接近させるようにして組み付ける。そして、インナハウジング１０とアウタハウジング３０が仮組み状態に到達すると、図２に示すように、係止部１９が係止凹部３５に係止することにより、インナハウジング１０とアウタハウジング３０が仮組み状態に保持される。
【００２６】
仮組み状態では、一括ゴム栓４０が筒状収容部１２に対して後方へ退避した位置にあり、一括ゴム栓４０の外周のリップ部４２には筒状収容部１２からの押圧力が作用しないので、シール孔４１が拡開し易くなっている。また、仮組み状態では、筒状収容部１２の後端の保持面２２が、一括ゴム栓４０の外周に形成されている複数のリップ部４２のうち最前端に位置するリップ部４２に対して前方から全周に亘って当接するので、一括ゴム栓４０は、筒状収容部１２に対して前方へ変位する（即ち、筒状収容部１２内に嵌入する）動作を抑制される。
【００２７】
この後、端子金具１４を取り付ける。取付に際しては、端子金具１４を、後壁部３２の後方から挿通孔３６に挿入し、この挿通孔３６とシール孔４１を順に通過させ、キャビティ１３内に挿入する。このとき、一括ゴム栓４０は、保持突起３８と保持孔４３の嵌合により、アウタハウジング３０に対して上下左右方向（端子金具１４の通過方向と交差する方向）への相対変位を規制されているので、挿通孔３６とシール孔４１が位置ずれする虞はない。したがって、挿通孔３６に挿入した端子金具１４が、シール孔４１から大きく外れて一括ゴム栓４０の後面に突き当たる虞はない。
【００２８】
また、一括ゴム栓４０の外周には筒状収容部１２からの押圧力が作用していないので、シール孔４１は拡開変形し易くなっている。したがって、端子金具１４がシール孔４１を通過する際の一括ゴム栓４０の弾性復元力に起因する抵抗が低減され、作業性が良い。また、端子金具１４がシール孔４１を通過するときの抵抗により、一括ゴム栓４０には端子金具１４側から前方への押圧力が作用する。しかし、一括ゴム栓４０の外周縁（リップ部４２）には、筒状収容部１２の保持面２２が全周に亘って前方から当接して端子金具１４側からの押圧力を受け止めているので、一括ゴム栓４０が前方へ変位する虞はない。
【００２９】
全ての端子金具１４をキャビティ１３に挿入し終えた後は、インナハウジング１０とアウタハウジング３０に係止部１９と係止凹部３５の係止力を上回る操作力を付与する。すると、係止部１９と係止凹部３５の係止が解除され、後壁部３２と一括ゴム栓４０がハウジング本体１１の後面に接近するように、両ハウジング１０，３０が組付け方向へ相対変位する。このとき、一括ゴム栓４０に当接している保持面２２は、両ハウジング１０，３０の組付け方向に対して傾斜したテーパ状をなしているので、一括ゴム栓４０は筒状収容部１２の内部へ誘導される。
【００３０】
両ハウジング１０，３０の組付けが進むのに伴い、一括ゴム栓４０が筒状収容部１２の内部に嵌入されていく。そして、図４に示すように、両ハウジング１０，３０が正規の組付け状態に到達すると、係止部１９が係止孔３７内に進入して係止状態となり、この係止部１９と係止孔３７の係止により、両ハウジング１０，３０が正規の組付け状態に保持される。両ハウジング１０，３０が正規の組付け状態になると、一括ゴム栓４０の全体が筒状収容部１２の内部に収容され、一括ゴム栓４０の外周のリップ部４２に対し筒状収容部１２のシール面１６が押圧力を全周に亘って付与し、一括ゴム栓４０のリップ部４２と筒状収容部１２のシール面１６とが液密状に密着する。そして、この筒状収容部１２から一括ゴム栓４０の外周への押圧力により、シール面１６の拡開変形が抑制され、シール面１６の内周と電線１５の外周とが液密状に密着する。
【００３１】
上述のように本実施形態のコネクタは、端子金具１４を一括ゴム栓４０に挿通する際の抵抗を低減することを目的としており、インナハウジング１０とアウタハウジング３０を仮組み状態に保持する仮係止手段２１と、両ハウジング１０，３０が正規の組付け状態であるときに、一括ゴム栓４０に対しシール孔４１が拡開変形するのを抑制するように嵌合する筒状収容部１２と、両ハウジング１０，３０が仮組み状態であるときに、一括ゴム栓４０を筒状収容部１２による拡開変形抑制作用から解放する状態に保持する保持手段２３とを備えている。
【００３２】
この構成によれば、端子金具１４をキャビティ１３に挿入する際には、予め、仮係止手段２１によって両ハウジング１０，３０を仮組み状態にしておき、保持手段２３によって一括ゴム栓４０の外周を筒状収容部１２による拡開変形抑制作用から解放しておくことができる。この状態では、シール孔４１が拡開し易くなっているので、シール孔４１に端子金具１４を挿通させるときの抵抗が低減される。
【００３３】
そして、端子金具１４をシール孔４１に挿通した後は、インナハウジング１０とアウタハウジング３０を正規の組付け状態へ変位させれば、一括ゴム栓４０の外周に対する筒状収容部１２の押圧作用により、シール孔４１に対して拡開変形抑制作用がはたらく。これにより、筒状収容部１２の内周と一括ゴム栓４０の外周との間、及び電線１５とシール孔４１の内周との間が確実にシールされる。
【００３４】
＜他の実施形態＞
本発明は上記記述及び図面によって説明した実施形態に限定されるものではなく、例えば次のような実施形態も本発明の技術的範囲に含まれる。
（１）上記実施形態では、変形抑制部を一括ゴム栓の外周に密着する形態としたが、変形抑制部は、一括ゴム栓の前面又は後面に形成した凹部に嵌入することで、シール孔の拡開変形を抑制する形態であってもよい。
（２）上記実施形態では、変形抑制部をハウジングに一体に成したが、変形抑制部は、リヤホルダに一体に形成してもよく、ハウジング及びリヤホルダとは別体の独立した部品に形成してもよい。
（３）上記実施形態では、ハウジングとリヤホルダが仮組み状態のときに変形抑制部が一括ゴム栓に対して前方から当接するようにしたが、仮組み状態のときに変形抑制部が一括ゴム栓と非接触であってもよい。この場合、保持突起の先端に、一括ゴム栓の前面に係止される係止部を形成すればよい。
【符号の説明】
【００３５】
１０…インナハウジング（ハウジング）
１２…筒状収容部（変形抑制部）
１３…キャビティ
１４…端子金具
１５…電線
２０…本係止手段
２１…仮係止手段
２２…保持面
２３…保持手段
３０…アウタハウジング（リヤホルダ）
３６…挿通孔
３８…保持突起
４０…一括ゴム栓
４１…シール孔
【図１】
2013004417.tif 000003
【図２】
2013004417.tif 000004
【図３】
2013004417.tif 000005
【図４】
2013004417.tif 000006
【図５】
2013004417.tif 000007
【図６】
2013004417.tif 000008